(57)【要約】【課題】  紙レシートの会計処理情報と、店舗から電子レシートとして供給される会計処理情報と、を一元管理することができる。【解決手段】  会計情報管理システムＳＹであって、ＰＯＳシステム３は、会計処理情報を生成し、当該会計処理情報を、ユーザー識別情報を付加して、会計情報管理サーバー５に送信し、携帯端末１は、紙レシートを撮像して得られた撮像データを、ユーザー識別情報を付加して、会計情報管理サーバー５に送信し、会計情報管理サーバー５は、撮像データから会計処理情報を抽出する会計情報抽出部と、各ユーザー識別情報に基づいて、会計情報抽出部により抽出した会計処理情報と、ＰＯＳシステム３から受信した会計処理情報とを、ユーザー毎に一元管理する会計情報管理部１５６と、を備えた。【選択図】  図４
2016136310.tif 000002
【特許請求の範囲】
【請求項１】
ＰＯＳシステムおよび撮像装置と、会計情報管理サーバーとが接続された会計情報管理システムであって、
前記ＰＯＳシステムは、会計処理情報を生成すると共に、生成した前記会計処理情報を、ユーザー識別情報を付加して、前記会計情報管理サーバーに送信し、
前記撮像装置は、紙レシートの印刷内容を撮像すると共に、当該撮像により得られた撮像データを、ユーザー識別情報を付加して、前記会計情報管理サーバーに送信し、
前記会計情報管理サーバーは、
前記撮像装置から受信した前記撮像データから、前記紙レシートに印刷された会計処理情報を抽出する会計情報抽出部と、
受信した前記各ユーザー識別情報に基づいて、前記会計情報抽出部により抽出した前記会計処理情報と、前記ＰＯＳシステムから受信した前記会計処理情報とを、ユーザー毎に一元管理する会計情報管理部と、を備えたことを特徴とする会計情報管理システム。
【請求項２】
前記会計情報管理サーバーは、
紙レシートの印刷フォーマットを複数記憶する印刷フォーマット記憶部と、
前記撮像装置により撮像した前記紙レシートの印刷フォーマットが、前記印刷フォーマット記憶部に記憶された複数の前記印刷フォーマットのうちの、いずれの印刷フォーマットであるかを識別する印刷フォーマット識別部と、を更に備え、
前記会計情報抽出部は、識別した前記印刷フォーマットを用いて、前記撮像データから、前記紙レシートに印刷された前記会計処理情報を抽出することを特徴とする請求項１に記載の会計情報管理システム。
【請求項３】
前記会計情報管理サーバーに接続されたユーザー側端末および店舗側端末を、更に備え、
前記会計情報管理部は、前記ユーザー側端末および前記店舗側端末からの会計処理情報要求信号を受けて、前記ユーザー側端末および前記店舗側端末に前記会計処理情報を送信する会計情報送信部を有し、
前記会計情報送信部は、前記ユーザー側端末および前記店舗側端末のうち、前記店舗側端末には、前記会計処理情報に含まれた金額部分を伏せて前記会計処理情報を送信することを特徴とする請求項１または２に記載の会計情報管理システム。
【請求項４】
前記会計情報管理部は、前記会計情報抽出部により抽出した前記会計処理情報が、前記会計情報管理部に管理されているいずれかの会計処理情報と同一である場合、抽出した前記会計処理情報を無効にすることを特徴とする請求項１ないし３のいずれか一項に記載の会計情報管理システム。
【請求項５】
前記会計情報管理サーバーは、前記会計情報抽出部により前記会計処理情報を抽出した前記撮像データを記憶する撮像データ記憶部を、更に備え、
前記会計情報抽出部は、前記撮像装置から受信した前記撮像データが、前記撮像データ記憶部に記憶されているいずれかの前記撮像データと同一である場合、当該撮像データに対する抽出処理をキャンセルすることを特徴とする請求項１ないし４のいずれか一項に記載の会計情報管理システム。
【発明の詳細な説明】
【技術分野】
【０００１】
本発明は、ユーザーの会計処理情報を管理する会計情報管理システムに関するものである。
【背景技術】
【０００２】
従来、この種の会計情報管理システム（レシート情報収集処理システム）として、複数の画像読み取り端末と、複数のパーソナルコンピューター端末と、レシート情報管理サーバーと、を備えたものが知られている（特許文献１参照）。この会計情報管理システムでは、画像読み取り端末は、紙レシートの会計処理情報（レシートの情報）を読み取って電子化し、電子化した会計処理情報をレシート情報管理サーバーに送信する。これに対し、レシート情報管理サーバーは、画像読み取り端末から送信された会計処理情報を受信し、受信した会計処理情報を顧客データベースに保存する。そして、ユーザーは、パーソナルコンピューター端末により、自身の会計処理情報を顧客データベースから読み出し、会計処理情報の内容確認や、修正または保存をすることができる。このように、紙レシートの会計処理情報を電子化し、電子化したレシートの会計処理情報をレシート情報管理サーバーで管理する構成により、簡単に会計支出の管理を行うことができる。
【先行技術文献】
【特許文献】
【０００３】
【特許文献１】特開２００５−９２６３５号公報
【発明の概要】
【発明が解決しようとする課題】
【０００４】
しかしながら、上記従来の会計情報管理システムでは、紙レシートの会計処理情報を電子化して管理することができるものの、当該会計処理情報と、元々、店舗から電子レシートとして提供される会計処理情報と、を一元管理することができないという問題があった。
【０００５】
本発明は、紙レシートの会計処理情報と、店舗から電子レシートとして供給される会計処理情報と、を一元管理することができる会計情報管理システムを提供することを課題としている。
【課題を解決するための手段】
【０００６】
本発明の会計情報管理システムは、ＰＯＳシステムおよび撮像装置と、会計情報管理サーバーとが接続された会計情報管理システムであって、ＰＯＳシステムは、会計処理情報を生成すると共に、生成した会計処理情報を、ユーザー識別情報を付加して、会計情報管理サーバーに送信し、撮像装置は、紙レシートの印刷内容を撮像すると共に、当該撮像により得られた撮像データを、ユーザー識別情報を付加して、会計情報管理サーバーに送信し、会計情報管理サーバーは、撮像装置から受信した撮像データから、紙レシートに印刷された会計処理情報を抽出する会計情報抽出部と、受信した各ユーザー識別情報に基づいて、会計情報抽出部により抽出した会計処理情報と、ＰＯＳシステムから受信した会計処理情報とを、ユーザー毎に一元管理する会計情報管理部と、を備えたことを特徴とする。
【０００７】
この構成によれば、紙レシートを撮像した撮像データから会計処理情報を抽出すると共に、抽出した会計処理情報と、ＰＯＳシステムからの会計処理情報とを、ユーザー識別情報に基づいて、ユーザー毎に一元管理する構成であるため、紙レシートの会計処理情報と、店舗から電子レシートとして供給される会計処理情報と、を会計情報管理サーバー上で一元管理することができる。
【０００８】
この場合、会計情報管理サーバーは、紙レシートの印刷フォーマットを複数記憶する印刷フォーマット記憶部と、撮像装置により撮像した紙レシートの印刷フォーマットが、印刷フォーマット記憶部に記憶された複数の印刷フォーマットのうちの、いずれの印刷フォーマットであるかを識別する印刷フォーマット識別部と、を更に備え、会計情報抽出部は、識別した印刷フォーマットを用いて、撮像データから、紙レシートに印刷された会計処理情報を抽出することが好ましい。
【０００９】
この構成によれば、会計情報管理サーバーで複数の印刷フォーマットを記憶しておき、記憶した複数の印刷フォーマットから、撮像した紙レシートの印刷フォーマットを識別する。そして、識別した印刷フォーマットを用い、紙レシートの会計処理情報を抽出する。そのため、異なる印刷フォーマットの紙レシートについても容易に電子化することができる。よって、異なる店舗（系列）の紙レシートも容易に電子化することができる。また、会計情報管理サーバーで複数の印刷フォーマットを記憶する構成であるため、会計情報管理サーバー上のデータベース（複数の印刷フォーマット）を更新するだけで、容易に、新たな印刷フォーマットに対応することができる。
【００１０】
この場合、会計情報管理サーバーに接続されたユーザー側端末および店舗側端末を、更に備え、会計情報管理部は、ユーザー側端末および店舗側端末からの会計処理情報要求信号を受けて、ユーザー側端末および店舗側端末に会計処理情報を送信する会計情報送信部を有し、会計情報送信部は、ユーザー側端末および店舗側端末のうち、店舗側端末には、会計処理情報に含まれた金額部分を伏せて会計処理情報を送信することが好ましい。
【００１１】
この構成によれば、ユーザーに対しては、金額部分を伏せずに会計処理情報を開示し、店舗側に対しては、金額部分を伏せて会計処理情報を開示することができる。よって、ユーザーのプライバシーを守りつつ、店舗側に対し会計処理情報を開示することができる。
【００１２】
一方、会計情報管理部は、会計情報抽出部により抽出した会計処理情報が、会計情報管理部に管理されているいずれかの会計処理情報と同一である場合、抽出した会計処理情報を無効にすることが好ましい。
【００１３】
この構成によれば、例えば、電子レシートと紙レシートとの両方が発行されるケースで紙レシートを誤って電子化した場合や、誤って同じ紙レシートを繰り返し電子化した場合等に、会計情報管理部に対し、同一の会計処理情報が複数重複して登録されてしまうのを防止することができる。なお、この同一性の判定は、会計処理情報に含まれた会計識別番号（レシートＩＤ）が同一であるか否かによって行うことが好ましい。
【００１４】
また、会計情報管理サーバーは、会計情報抽出部により会計処理情報を抽出した撮像データを記憶する撮像データ記憶部を、更に備え、会計情報抽出部は、撮像装置から受信した撮像データが、撮像データ記憶部に記憶されているいずれかの撮像データと同一である場合、当該撮像データに対する抽出処理をキャンセルすることが好ましい。
【００１５】
この構成によれば、誤って同じ紙レシートを繰り返し電子化しようとした場合に、会計処理情報の抽出処理がキャンセルされる。そのため、会計処理情報の抽出処理を行うことなく、会計処理情報の重複を防止することができる。
【図面の簡単な説明】
【００１６】
【図１】本発明の一実施形態に係る会計情報管理システムを示したシステム構成図である。
【図２】各携帯端末および各ユーザー側ＰＣ端末の構成を示したブロック図である。
【図３】会計情報管理サーバー、ＰＯＳシステムおよび店舗側ＰＣ端末の構成を示したブロック図である。
【図４】会計情報管理システムの機能構成を示した機能ブロック図である。
【図５】レシート電子化動作を示したフローチャートである。
【図６】変形例の会計情報管理システムにおける機能構成を示した機能ブロック図である。
【発明を実施するための形態】
【００１７】
以下、添付の図面を参照し、本発明の一実施形態に係る会計情報管理システムについて説明する。この会計情報管理システムは、各ユーザーの会計処理情報（レシート情報）を電子データとして管理するシステムである。特に、本会計情報管理システムは、紙レシートを撮像して電子化することで、紙レシートの会計処理情報を電子データとして管理する構成を有する。
【００１８】
図１に示すように、会計情報管理システムＳＹは、複数のユーザーが所有する複数の携帯端末１および複数のユーザー側ＰＣ端末２（ユーザー側端末）と、店舗に設置されたＰＯＳシステム３および店舗側ＰＣ端末４（店舗側端末）と、インターネット等のネットワークＮＷを介して、これらと接続された会計情報管理サーバー５と、を備える。上記「ＰＣ」は、「Personal  Computer」の略であり、上記「ＰＯＳ」は、「Point  of  sale」の略である。詳細は後述するが、携帯端末１は、カメラ搭載型の携帯端末であり、紙レシートを撮像する撮像装置として用いられる。また、各ユーザー側ＰＣ端末２や店舗側ＰＣ端末４は、各ユーザーや店舗側が、会計情報管理サーバー５上の会計処理情報を取得し閲覧するのに用いられる。
【００１９】
図２に示すように、各携帯端末１は、各ユーザーに携帯される通信機器であり、スマートフォンや携帯電話等により構成されている。また、各携帯端末１は、上記したように、カメラ搭載型の携帯端末であり、撮像装置として機能する。具体的には、各携帯端末１は、撮像カメラ１１と、通信インターフェース１２と、制御機構１３と、を有する。撮像カメラ１１は、対象物を撮像して、撮像データ（撮像画像）を得る。通信インターフェース１２は、会計情報管理サーバー５とのネットワークＮＷを介した通信を行う。制御機構１３は、ＣＰＵ（Central  Processing  Unit）、ＲＡＭ（Random  Access  Memory）、ＲＯＭ（Read  Only  Memory）等を有し、携帯端末１全体を統括制御する。詳細は後述するが、撮像カメラ１１は、主に、紙レシートの印刷内容を撮像するのに用いられ、通信インターフェース１２は、主に、その撮像データを、会計情報管理サーバー５に送信するのに用いられる。
【００２０】
各ユーザー側ＰＣ端末２は、通信インターフェース２１と、ディスプレイ２２と、制御機構２３と、を有する。通信インターフェース２１は、会計情報管理サーバー５とのネットワークＮＷを介した通信を行う。ディスプレイ２２は、各種データを表示する。制御機構２３は、ＣＰＵ、ＲＡＭ、ＲＯＭ等を有し、ユーザー側ＰＣ端末２全体を統括制御する。詳細は後述するが、通信インターフェース２１は、主に、会計情報管理サーバー５から会計処理情報を取得するのに用いられ、ディスプレイ２２は、取得した会計処理情報を表示するのに用いられる。
【００２１】
図３に示すように、ＰＯＳシステム３は、会計処理を行うＰＯＳ端末３０を有する。ＰＯＳ端末３０は、制御機構３１と、通信インターフェース３２と、を有する。制御機構３１は、ＣＰＵ、ＲＡＭ、ＲＯＭ等を有し、ＰＯＳ端末３０全体を統括制御する。通信インターフェース３２は、会計情報管理サーバー５とのネットワークＮＷを介した通信を行う。詳細は後述するが、通信インターフェース３２は、主に、会計処理時に、当該会計処理の会計処理情報を電子レシートとして会計情報管理サーバー５に送信するのに用いられる。
【００２２】
店舗側ＰＣ端末４は、通信インターフェース４１と、ディスプレイ４２と、制御機構４３と、を有する。通信インターフェース４１は、会計情報管理サーバー５とのネットワークＮＷを介した通信を行う。ディスプレイ４２は、各種データを表示する。制御機構４３は、ＣＰＵ、ＲＡＭ、ＲＯＭ等を有し、店舗側ＰＣ端末４全体を統括制御する。詳細は後述するが、通信インターフェース４１は、主に、会計情報管理サーバー５から会計処理情報を取得するのに用いられ、ディスプレイ４２は、取得した会計処理情報を表示するのに用いられる。
【００２３】
会計情報管理サーバー５は、通信インターフェース５１と、制御機構５２と、記憶機構５３と、を有する。通信インターフェース５１は、携帯端末１、ユーザー側ＰＣ端末２、ＰＯＳシステム３および店舗側ＰＣ端末４とのネットワークＮＷを介した通信を行う。詳細は後述するが、通信インターフェース５１は、主に、携帯端末１からの撮像データを受信し、また、ＰＯＳシステム３からの会計処理情報を受信し、さらに、ユーザー側ＰＣ端末２および店舗側ＰＣ端末４に会計処理情報を送信するのに用いられる。
【００２４】
制御機構５２は、ＣＰＵ、ＲＡＭ、ＲＯＭ等を有し、会計情報管理サーバー５全体を統括制御する。記憶機構５３は、ハードディスク等で構成されており、会計情報管理サーバー５の制御に係る各種データを記憶する。
【００２５】
次に図４を参照して、会計情報管理システムＳＹを構成する各装置の機能構成について説明する。図４に示すように、各携帯端末１は、印刷内容撮像部１１１と、撮像データ送信部１１２と、を有する。印刷内容撮像部１１１は、撮像カメラ１１を主要部とし、紙レシートの印刷内容を撮像して撮像データを得る。撮像データ送信部１１２は、通信インターフェース１２および制御機構１３を主要部とし、印刷内容撮像部１１１により紙レシートの印刷内容を撮像して得られた撮像データを、会計情報管理サーバー５に送信する。このとき、撮像データ送信部１１２は、本携帯端末１を所有するユーザーのユーザー識別情報を付加して、当該撮像データを送信する。
【００２６】
各ユーザー側ＰＣ端末２は、会計情報取得部１２１と、会計情報表示部１２２と、を有する。会計情報取得部１２１は、通信インターフェース２１および制御機構２３を主要部とし、会計情報管理サーバー５に会計処理情報要求信号を送信して、会計情報管理サーバー５から、会計処理情報を取得する。すなわち、会計情報取得部１２１は、会計処理情報要求信号を会計情報管理サーバー５に送信し、会計処理情報要求信号に対するレスポンスとして会計情報管理サーバー５から送信された会計処理情報を受信する。これにより、会計処理情報を取得する。このとき、会計情報取得部１２１は、本ユーザー側ＰＣ端末２を所有するユーザーのユーザー識別情報を付加して、会計処理情報要求信号を送信し、会計情報管理サーバー５から当該ユーザーの会計処理情報を取得する。これによって、各ユーザーは、各ユーザー側ＰＣ端末２により、自身の会計処理情報を取得することができる。
【００２７】
会計情報表示部１２２は、ディスプレイ２２および制御機構２３を主要部とし、会計情報取得部１２１により取得した会計処理情報を表示する。これにより、各ユーザーは、各ユーザー側ＰＣ端末２により、自身の会計処理情報を閲覧することができるようになっている。
【００２８】
なお、本実施形態では、単に、取得した会計処理情報を表示する構成としたが、取得した会計処理情報を、ユーザー側ＰＣ端末２上の家計簿ソフトにインポートする構成であっても良い。すなわち、取得した会計処理情報の利用方法は、任意である。
【００２９】
ＰＯＳ端末３０は、会計情報生成部１３１と、会計情報送信部１３２と、を有する。会計情報生成部１３１は、制御機構３１を主要部とし、会計処理時に、当該会計処理の会計処理情報を生成する。ここで生成する会計処理情報には、会計処理の会計識別番号（レシートＩＤ）と、会計処理の領収内容（品目、単価、数量および合計金額等）と、会計処理をした店舗の店舗名と、が含まれている。
【００３０】
会計情報送信部１３２は、制御機構３１および通信インターフェース３２を主要部とし、会計情報生成部１３１により生成した会計処理情報を、電子レシートとして会計情報管理サーバー５に送信する。このとき、会計情報送信部１３２は、会計処理をしたユーザー（顧客）のユーザー識別情報を付加して、会計処理情報を送信する。
【００３１】
店舗側ＰＣ端末４は、会計情報取得部１４１と、会計情報表示部１４２と、を有する。会計情報取得部１４１は、通信インターフェース４１および制御機構４３を主要部とし、会計情報管理サーバー５に会計処理情報要求信号を送信して、会計情報管理サーバー５から、会計処理情報を取得する。すなわち、ユーザー側ＰＣ端末２と同様、会計情報取得部１４１は、会計処理情報要求信号を会計情報管理サーバー５に送信し、会計処理情報要求信号に対するレスポンスとして会計情報管理サーバー５から送信された会計処理情報を受信する。これにより、会計情報管理サーバー５から会計処理情報を取得する。このとき、会計情報取得部１４１は、店舗側が会計処理情報を閲覧したいユーザーのユーザー識別情報を付加して、会計処理情報要求信号を送信し、会計情報管理サーバー５から当該ユーザーの会計処理情報を取得する。これによって、店舗側は、店舗側ＰＣ端末４により、所望のユーザーの会計処理情報を取得することができる。
【００３２】
会計情報表示部１４２は、ディスプレイ４２および制御機構４３を主要部とし、会計情報取得部１４１により取得した会計処理情報を表示する。これにより、店舗側は、店舗側ＰＣ端末４により、所望のユーザーの会計処理情報を閲覧することができるようになっている。これによって、店舗側は、各ユーザーがどの商品を買ったかを把握することができる。すなわち、自店舗のみならず、別の店舗の会計情報についても閲覧することができるため、各ユーザーが別の店舗で、どの商品を買ったかを把握することができる。
【００３３】
会計情報管理サーバー５は、会計情報受信部１５１と、撮像データ受信部１５２と、印刷フォーマット記憶部１５３と、印刷フォーマット識別部１５４と、会計情報抽出部１５５と、会計情報管理部１５６と、を有する。
【００３４】
会計情報受信部１５１は、通信インターフェース５１を主要部とし、ＰＯＳシステム３（ＰＯＳ端末３０）からの会計処理情報と、これに付加されたユーザー識別情報と、を受信する。
【００３５】
撮像データ受信部１５２は、通信インターフェース５１を主要部とし、携帯端末１からの撮像データと、これに付加されたユーザー識別情報と、を受信する。
【００３６】
印刷フォーマット記憶部１５３は、記憶機構５３を主要部とし、紙レシートの印刷フォーマットを複数記憶する。ここで記憶する各印刷フォーマットには、各印刷事項の配置構成と、企業ロゴや店舗ロゴ等のロゴ画像とが含まれている。なお、印刷事項とは、上記した、会計識別番号、会計処理の領収内容（品目、単価、数量および合計金額等）および店舗の店舗名等を指す。
【００３７】
印刷フォーマット識別部１５４は、制御機構５２を主要部とし、撮像データを解析し、撮像した紙レシートの印刷フォーマットが、印刷フォーマット記憶部１５３に記憶された複数の印刷フォーマットのうちの、いずれの印刷フォーマットであるかを識別する。具体的には、撮像データ（撮影画像）に、印刷フォーマット記憶部１５３に記憶された各印刷フォーマットのロゴ画像が含まれているか否かを判定し、ロゴ画像が含まれている場合には、そのロゴ画像の印刷フォーマットを、撮像した紙レシートの印刷フォーマットと判定する。
【００３８】
会計情報抽出部１５５は、制御機構５２を主要部とし、印刷フォーマット識別部１５４により識別した印刷フォーマットを用いて、撮像データから、紙レシートに印刷された会計処理情報を抽出する。具体的には、識別した印刷フォーマットを印刷フォーマット記憶部１５３から抽出し、抽出した印刷フォーマットを用いて、会計処理情報を抽出する。すなわち、印刷フォーマットによって、各印刷事項の配置構成が分かるため、これを用いて撮像データに対しＯＣＲ（Optical  Character  Recognition）処理を施し、撮像データから、会計識別番号、領収内容（購入商品、購入数、購入金額および合計金額等）および店舗の店舗名を抽出する（テキスト化）。
【００３９】
会計情報管理部１５６は、会計情報抽出部１５５により抽出した会計処理情報と、ＰＯＳシステム３から受信した会計処理情報と、をユーザー毎に一元管理するものであり、会計情報記憶部１６１と、会計情報送信部１６２と、を有する。
【００４０】
会計情報記憶部１６１は、記憶機構５３を主要部とし、ユーザー毎に、会計情報抽出部１５５により抽出した会計処理情報と、会計情報受信部１５１によりＰＯＳシステム３から受信した会計処理情報とを一括して記憶する。これらの会計処理情報が、どのユーザーのものであるかの判断は、撮像データや会計処理情報と共に受信した各ユーザー識別情報に基づいて行われる。すなわち、会計情報抽出部１５５により抽出した会計処理情報は、抽出元の撮像データと共に受信したユーザー識別情報に基づくユーザーの会計処理情報として、会計情報記憶部１６１に記憶される。一方、ＰＯＳシステム３から受信した会計処理情報は、当該会計処理情報と共に受信したユーザー識別情報に基づくユーザーの会計処理情報として、会計情報記憶部１６１に記憶される。このように、会計情報抽出部１５５により抽出した会計処理情報と、ＰＯＳシステム３から受信した会計処理情報と、は、受信した各ユーザー識別情報に基づいてユーザー毎に一元管理されている。また、会計情報記憶部１６１は、各ユーザーの会計処理情報を、店舗や店舗の系列毎にグループ化して記憶している。すなわち、各会計処理情報は、会計情報記憶部１６１において、ユーザー毎且つ、店舗や系列毎に記憶されている。つまり、各会計処理情報は、会計情報管理部１５６において、ユーザー毎且つ、店舗や系列毎に管理されている。
【００４１】
会計情報送信部１６２は、通信インターフェース５１および制御機構５２を主要部とし、会計処理情報要求信号を受けて、会計情報記憶部１６１に記憶した会計処理情報を、ユーザー側ＰＣ端末２および店舗側ＰＣ端末４に送信する。すなわち、ユーザー側ＰＣ端末２から、会計処理情報要求信号と、これに付加されたユーザー識別情報を受信すると、ユーザー識別情報に基づくユーザーの会計処理情報の全てを会計情報記憶部１６１から抽出し、抽出した会計処理情報を要求元のユーザー側ＰＣ端末２に送信する。一方、店舗側ＰＣ端末４から、会計処理情報要求信号と、これに付加されたユーザー識別情報を受信すると、ユーザー識別情報に基づくユーザーの会計処理情報の全てを会計情報記憶部１６１から抽出し、抽出した会計処理情報を店舗側ＰＣ端末４に送信する。なお、会計情報送信部１６２は、ユーザー側ＰＣ端末２および店舗側ＰＣ端末４のうち、店舗側ＰＣ端末４には、会計処理情報に含まれた金額部分を伏せて会計処理情報を送信する。
【００４２】
次に図５を参照して、紙レシートの会計処理情報を電子化して、会計情報記憶部１６１に記憶させるレシート電子化動作について説明する。本レシート電子化動作は、１のユーザーが、自身の携帯端末１により、紙レシートの印刷内容を撮像することを起点として行われるものである。
【００４３】
図５に示すように、まず、携帯端末１は、ユーザーの操作に従って、印刷内容撮像部１１１により、紙レシートの印刷内容を撮像する（Ｓ１）。紙レシートの印刷内容を撮像したら、撮像データ送信部１１２により、当該撮像により得られた撮像データと、ユーザー識別情報と、を会計情報管理サーバー５に送信する（Ｓ２）。
【００４４】
これに対し、会計情報管理サーバー５は、携帯端末１からの撮像データおよびユーザー識別情報を受信する（Ｓ３）。撮像データおよびユーザー識別情報を受信したら、印刷フォーマット識別部１５４により、撮像データを解析して、携帯端末１により撮像した紙レシートの印刷フォーマットが、印刷フォーマット記憶部１５３に記憶された複数の印刷フォーマットのうちの、いずれの印刷フォーマットであるかを識別する（Ｓ５）。
【００４５】
印刷フォーマットを識別したら、会計情報抽出部１５５により、識別した印刷フォーマットを用いて、携帯端末１から受信した撮像データから会計処理情報を抽出する（Ｓ６）。すなわち、識別した印刷フォーマットを、印刷フォーマット記憶部１５３から抽出し、抽出した印刷フォーマットを用いて、撮像データから会計処理情報を抽出する。
【００４６】
会計処理情報を抽出したら、抽出した会計処理情報を、受信したユーザー識別情報に基づくユーザーの会計処理情報として、会計情報記憶部１６１に記憶させる。これにより、本レシート電子化動作を終了する。
【００４７】
以上のような構成によれば、紙レシートを撮像した撮像データから会計処理情報を抽出すると共に、抽出した会計処理情報と、ＰＯＳシステム３からの会計処理情報とを、ユーザー識別情報に基づいて、ユーザー毎に一元管理する構成であるため、紙レシートの会計処理情報と、店舗から電子レシートとして供給される会計処理情報と、を会計情報管理サーバー５上で一元管理することができる。
【００４８】
また、会計情報管理サーバー５で複数の印刷フォーマットを記憶しておき、記憶した複数の印刷フォーマットから、撮像した紙レシートの印刷フォーマットを識別すると共に、識別した印刷フォーマットを用い、紙レシートの会計処理情報を抽出する構成であるため、異なる印刷フォーマットの紙レシートについても容易に電子化することができる。よって、異なる店舗（系列）の紙レシートも容易に電子化することができる。また、会計情報管理サーバー５で複数の印刷フォーマットを記憶する構成であるため、会計情報管理サーバー５上のデータベース（複数の印刷フォーマット）を更新するだけで、容易に、新たな印刷フォーマットに対応することができる。
【００４９】
さらに、店舗側に会計処理情報を送信する場合には、金額部分を伏せて会計処理情報を送信する構成であるため、ユーザーのプライバシーを守りつつ、店舗に対し会計処理情報を開示することができる。
【００５０】
なお、上記実施形態において、会計処理情報の重複を避けるため、会計情報抽出部１５５により抽出した会計処理情報が、会計情報管理部１５６に管理されているいずれかの会計処理情報と同一である場合、会計情報管理部１５６が、抽出した会計処理情報を無効にする構成であっても良い。すなわち、会計情報抽出部１５５により抽出した会計処理情報が、既に会計情報記憶部１６１に記憶されている会計処理情報と同一である場合、抽出した会計処理情報を管理対象（記憶対象）から除外するものとする。かかる構成によれば、例えば、電子レシートと紙レシートとの両方が発行されるケースで紙レシートを誤って電子化した場合や、誤って同じ紙レシートを繰り返し電子化した場合等に、会計情報管理部１５６に対し、同一の会計処理情報が複数重複して登録されてしまうのを防止することができる。なお、この同一性の判定は、会計処理情報に含まれた会計識別番号が同一であるか否かによって行うことが好ましい。
【００５１】
また、会計処理情報の重複を避けるため、処理済みの撮像データを記憶しておき、新たに受信した撮像データの撮像画像と、処理済みの撮像データの撮像画像とを照合して、重複したものを除外する構成であっても良い。すなわち、図６に示すように、会計情報管理サーバー５が、会計情報抽出部１５５により会計処理情報を抽出した抽出後の撮像データを記憶する撮像データ記憶部２０１を、更に有する。そして、会計情報抽出部１５５は、携帯端末１から受信した撮像データが、撮像データ記憶部２０１に記憶されているいずれかの撮像データと同一である場合、当該撮像データに対する会計処理情報の抽出処理をキャンセルする構成とする。より厳密には、携帯端末１から受信した撮像データ上の紙レシートの画像部分が、撮像データ記憶部２０１に記憶されているいずれかの撮像データ上の紙レシートの画像部分と同一である場合、当該撮像データに対する会計処理情報の抽出処理をキャンセルする。かかる構成によれば、誤って同じ紙レシートを繰り返し電子化しようとした場合に、会計処理情報の抽出処理がキャンセルされる。そのため、会計処理情報の抽出処理を行うことなく、会計処理情報の重複を防止することができる。なお、撮像データ記憶部２０１に記憶した撮像データは、ユーザー側ＰＣ端末２や店舗側ＰＣ端末４で閲覧であることが好ましい。
【００５２】
なお、上記実施形態においては、ＰＯＳシステム３が、電子レシートのみを発行する構成であったが、ＰＯＳシステム３が、電子レシートと紙レシートとを両方発行する構成であっても良い。
【００５３】
また、上記実施形態においては、印刷フォーマットが、各印刷事項の配置構成およびロゴ画像を含むものであったが、印刷フォーマットが、これらに加え、各印刷文字の印刷フォントを含んでも良い。
【００５４】
さらに、上記実施形態において、会計情報抽出部１５５による抽出結果を、携帯端末１で確認可能とする構成であっても良い。すなわち、会計情報抽出部１５５によって会計情報を抽出した際、会計情報管理サーバー５が、その抽出結果（会計情報）を、撮像データの送り元の携帯端末１に送信し、携帯端末１が、この抽出結果を表示する構成であっても良い。
【符号の説明】
【００５５】
１：携帯端末、  ２：ユーザー側ＰＣ端末、  ３：ＰＯＳシステム、  ４：店舗側ＰＣ端末、  ５：会計情報管理サーバー、  １５３：印刷フォーマット記憶部、  １５４：印刷フォーマット識別部、  １５５：会計情報抽出部、  １５６：会計情報管理部、  １６２：会計情報送信部、  ＳＹ：会計情報管理システム
【図１】
2016136310.tif 000003
【図２】
2016136310.tif 000004
【図３】
2016136310.tif 000005
【図４】
2016136310.tif 000006
【図５】
2016136310.tif 000007
【図６】
2016136310.tif 000008